(57)【要約】連続巻回された巻ペーパーの繰り出し・切断の一連の動作が片手でも容易に行うことができるペーパーホルダーを提供する。【解決手段】ペーパー保持部１とペーパー上面カバー部２およびペーパー保持部１とペーパー上面カバー部２間に隙間Ｓを具備して連続巻回された巻ペーパー３を収納保持するとともに、隙間Ｓから巻ペーパー３の一部を繰り出し・切断するペーパーホルダーであって、一端側にペーパー繰り出し阻止部５Ａ、他端側にペーパーカッター部５Ｂを有するペーパーカッター５を、ペーパー繰り出し阻止部５Ａが隙間Ｓ側に位置し一定角度回転可能になるよう可動手段６，６によりペーパー上面カバー部に配設せしめ、巻ペーパー３を必要長さ繰り出したらペーパー繰り出し阻止部５Ａで巻ペーパー３の繰り出しを阻止するとともに、ペーパーカッター部５Ｂで巻ペーパー３を切断し、次回巻ペーパー３繰り出し時のつかみ代３Ａが残るよう構成する。【選択図】　　　　図１
2004057760.tif 000002
【特許請求の範囲】
【請求項１】
ペーパー保持部１とペーパー上面カバー部２および前記ペーパー保持部１とペーパー上面カバー部２間に隙間Ｓを具備して連続巻回された巻きペーパー３を収納保持するとともに、前記隙間Ｓから巻ペーパー３の一部を繰り出し・切断するペーパーホルダーであって、
前記ペーパーホルダー４は、一端側にペーパー繰り出し阻止部５Ａ、他端側にペーパーカッター部５Ｂを有するペーパーカッター５を、前記ペーパー繰り出し阻止部５Ａが隙間Ｓ側に位置し一定角度回転可能になるよう可動手段６，６によりペーパー上面カバー部２に配設せしめ、
前記巻きペーパー３を必要長さ繰り出したらペーパー繰り出し阻止部５Ａで巻きペーパー３の繰り出しを阻止するとともに、ペーパーカッター部５Ｂで巻きペーパー３を切断し、次回巻きペーパー３繰り出し時のつかみ代３Ａが残るよう構成したことを特徴とするペーパーホルダー。
【発明の詳細な説明】
【０００１】
【発明の属する技術分野】
本発明は、トイレットペーパー、キッチンペーパーおよび連続して巻回された巻ペーパーを収納保持するとともに、巻ペーパーの一部を繰り出し・切断するペーパーホルダーに係わり、特には、巻ペーパーの繰り出し・切断が片手でも容易にでき、且つ、次回繰り出し時のつかみ代が残るペーパーに関するものである。
【０００２】
【従来の技術】
ペーパーホルダーの一例として、従来から、図４に図示する如きトイレットペーパー用のペーパーホルダー４Ａが知られている。このペーパーホルダー４Ａは、一般的に家屋等の壁に固定され使用されている。
なお、ペーパーホルダー４Ａの構成などは周知のことなので説明は簡略するが、連続巻回された巻ペーパーであるトイレットペーパー３をペーパー支持棒５Ｃに挿入し、トイレットペーパー３を繰り出し・切断するようもちいられている。
【０００３】
ここで、図５を参照して前記ペーパーホルダー４Ａを使用した時のトイレットペーパー３の繰り出しと切断方法を順次説明すると、先ず、（１）トイレットペーパー３の先端部をつまみ易くするため、同図（ａ）に示すように指７でトイレットペーパー３を回転させ、次に、（２）同図（ｂ）に示すようにトイレットペーパー３の先端部を指７でつまむ。そして、（３）同図（ｃ），（ｄ）に示すようにトイレットペーパー３を引っ張って必要長さ繰り出すが、ペーパー上面カバー２Ａは上下方向に可働するので、トイレットペーパー３の繰り出しはスムーズに行える。次に、（４）同図（ｅ）に示すようにペーパー上面カバー部２Ａを指７等で押さえてトイレットペーパー３の回転止め、（５）同図（ｆ）に示すようにトイレットペーパー３を切断する動作を行う。
【０００４】
【発明が解決しようとする課題】
前述したペーパーホルダー４Ａを使用した時のトイレットペーパー３の繰り出し・切断には、両手を用いなくてはならない難点があった。また、怪我や障害等で片手が不自由な場合はこれら一連の動作が極めて困難になる難点があった。
【０００５】
そこで本発明の目的は、これら難点を解消でき、巻ペーパーの繰り出し・切断の一連の動作が片手でも容易に行うことのができるペーパーホルダーを提供することにある。
【０００６】
【課題を解決するための手段】
本発明の観点では、本発明はペーパー保持部１とペーパー上面カバー部２および前記ペーパー保持部１とペーパー上面カバー部２間に隙間Ｓを具備して連続巻回された巻ペーパー３の一部を収納保持するとともに、前記隙間かＳから巻ペーパー３の一部を繰り出し・切断するペーパーホルダーであって、
ペーパーホルダー４は一端部にペーパー繰り出し阻止部５Ａ，他端側にペーパーカッター部５Ｂを有するペーパーカッター５を、ペーパー繰り出し阻止部５Ａが隙間Ｓ側に位置し一定角度回転可能になるよう可動手段６，６によりペーパー上面カバー部２に配設せしめ、巻ペーパー３を必要長さ繰り出したらペーパー繰り出し阻止部５Ａで巻ペーパー３を繰り出し阻止するとともに、ペーパーカッター部５Ｂで巻きペーパー３を切断し、次回巻ペーパー３繰り出し時のつかみ代３Ａが残るよう構成する。
【０００７】
本発明の観点によるペーパーホルダーは、一端側にペーパー繰り出し阻止部５Ａ、他端側にペーパーカッター部５Ｂを有するペーパーカッター５を、ペーパー繰り出し阻止部５Ａが隙間Ｓ側に位置し一定角度回転可能になるよう可動手段６，６によりペーパー上面カバー部２に配設せしめ、巻ペーパー３を必要長さ繰り出したらペーパー繰り出し阻止部５Ａで巻ペーパー３の繰り出しを阻止するとともに、ペーパーカッター部５Ｂで巻ペーパー３を切断し、次回巻ペーパー３繰り出し時のつかみ代３Ａが残るよう構成したので、巻ペーパー３の繰り出し・切断の一連の動作が片手で容易に行うことができるペーパーホルダーを提供できる。
【０００８】
【発明の実施の形態】
以下、本発明を図に示す実施形態によりさらに詳細に説明する。なお、これにより本発明が限定されるものではない。
【０００９】
−実施形態−
図１は、本発明による一実施例のトイレットペーパー用ペーパーホルダーを示す説明図で、同図（ａ）は主要部部分斜視図、同図（ｂ）は同図（ａ）の部分拡大図、図２は、図１のペーパーホルダーによる巻ペーパーの繰り出し・切断動作を示す説明図、図３は巻ペーパーの繰り出し・切断の原理を示す説明図で、同図（ａ）は巻ペーパー繰り出し時、同図（ｂ）は巻ペーパー切断時の状態をそれぞれ示す説明図である。
【００１０】
図において、１は円筒状で巻ペーパー繰り出し用の隙間Ｓ（０．１ｍｍ〜２０ｍｍ）を設けたペーパー保持部、２はペーパー保持部１の一端に延設されたペーパー上面カバー部であり、ペーパー保持部１とペーパー上面カバー部２とは一体成形等の手段により巻ペーパー３を収納保持（内径１２ｍｍ〜４０ｍｍ，外径１２ｍｍ〜１４０ｍｍ，幅７０ｍｍ〜１２０ｍｍ）するよう構成されている。５は一端側にペーパー繰り出し阻止部５Ａ、他端側にペーパーカッター部５Ｂを有するペーパーカッター（長さ１０ｍｍ〜１００ｍｍ，幅７０ｍ〜１２０ｍｍ，厚さ０．５ｍｍ〜１０ｍｍ）であり、巻ペーパー３の繰り出し時には水平状態に保たれ、巻ペーパー３の切断時には上側に一定角度（０°〜４５°）回転して巻ペーパー３の繰り出し阻止させるとともに、ペーパーカッター部５Ｂで巻ペーパー３を切断できるようペーパー上面カバー部２に蝶つがい等の可動手段６，６により配設せしめられている。
【００１１】
このように構成されたペーパーホルダー４では、巻ペーパーであるトイレットペーパー３の切断時にはペーパーカッター５が可動手段６，６部分またはペーパー上面カバー部２との接触点を支点とし、ペーパーカッター５Ｂが力点、ペーパー繰り出し阻止部５Ａが作用点となるテコとして機能する。
即ち、テコの機能で、トイレットペーパー３はペーパー繰り出し阻止部５Ａに作用する力でペーパー保持部１に押さえつけられ繰り出しを阻止され、繰り出されたトイレットペーパー３は力点をなすペーパーカッター部５Ｂ（予め鋭角で形成しておくのが望ましい）で切断される。
この時、ペーパー繰り出し阻止部５Ａとペーパーカッター部５Ｂ間（１０ｍｍ〜１００ｍｍ）のトイレットペーパー３部分は次回のつまみ代３Ａとして確保される。従って、トイレットペーパー３の繰り出し・切断の一連の動作が片手でも容易に行えるペーパーホルダーが提供される。
【００１２】
本発明によるペーパーホルダー４を使用した時のトイレットペーパー３の繰り出し・切断の一連の動作、原理について、図２，図３を参照し説明する。先ず、トイレットペーパー３を繰り出す場合、（１）図２（ａ）に示すように初期状態からつまみ代３Ａ（長さ１０ｍｍ〜１００ｍｍ程度）があるので、トイレットペーパー３の先端部を指７でつまむ。次に、（２）図２（ｂ），（ｃ）に示すようにトイレットペーパー３を引っ張って必要長さだけ繰り出す動作を行う。このとき、ペーパーカッター５は水平状態にあり、繰り出し作業は容易である。なお、ペーパーカッター５が水平状態を保つ条件は、テコとしての支点と作用点間の長さを１とした時の支点と力点間の長さをＬとすれば、Ｌを１．１以上にするのが望ましい。（図３（ａ）参照）
次に、トイレットペーパー３を切断するには、（３）図２（ｄ）に示すようにトイレットペーパー３を上側に持ち上げれば、ペーパーカッター５が図３（ｂ）に示すように上側に一定角度（１°〜４５°）回転してテコの作用点１０となるペーパー繰り出し阻止部５Ａでトイレットペーパー３の繰り出しを阻止し、テコの力点９となるペーパーカッター部５Ｂでトイレットペーパー３を切断する。同時に、つまみ代３Ａを残してペーパーカッター５は水平状態に戻る。
【００１３】
なお、本発明は、前述したトイレットペーパー用のペーパーホルダーにだけでなく、同様の構造をしたペーパーホルダーや、例えば、ロール型キッチンペーパー（ペーパータオル）やラップフィルムの製品箱等に応用可能であり、同様の効果が得られることはいうまでもない。
【００１４】
【発明の効果】
発明によれば、簡便な手段により、連続して巻回された巻ペーパーの繰りし・切断の一連の動作を片手でも容易に行うことができるペーパーホルダーを提供でき、その実用上の効果は大きなものがある。
【図面の簡単な説明】
【図１】本発明による一実施例のトイレットペーパー用ペーパーホルダーを示す説明図で、同図（ａ）はその要部部分斜視図、同図（ｂ）は同図（ａ）の部分拡大図である。
【図２】図１のペーパーホルダーによる巻ペーパーの繰り出し・切断の一連の動作を示す説明図である。
【図３】図１のペーパーホルダーによる巻ペーパーの繰り出し・切断の原理を示す説明図で、同図（ａ）は巻ペーパー繰り出し時、同図（ｂ）は巻ペーパー切断時の状態を示す説明図である。
【図４】従来例のペーパーホルダーを示す斜視図である。
【図５】従来例のペーパーホルダーによる巻ペーパーの繰り出し・切断の一連の動作を示す説明図である。
【符号の説明】
１，１Ａ　ペーパー保持部
２，２Ａ　ペーパー上面カバー部
３　巻ペーパー
３Ａ　つかみ代
４，４Ａ　ペーパーホルダー
５　ペーパーカッター
５Ａ　ペーパー繰り出し阻止部
５Ｂ　ペーパーカッター部
５Ｃ　ペーパー支持棒
６，６　可動手段
７　指
８　支点
９　力点
１０　作用点
Ｓ　隙間
【図１】
2004057760.tif 000003
【図２】
2004057760.tif 000004
【図３】
2004057760.tif 000005
【図４】
2004057760.tif 000006
【図５】
2004057760.tif 000007